(57)【特許請求の範囲】
【請求項１】
アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備えた光ディスクにデータを記録、あるいは再生する光ディスク装置の読み取り精度の状態を検出する状態検出装置において、
前記ヘッダー領域を検出するヘッダー検出手段と、
検出したヘッダー領域に含まれるアドレス誤り検出領域の誤り検出符号の正誤を判定し、誤りの個数を１セクタ分保持する誤り検出結果保持手段と、
前記誤り検出結果保持手段が保持する誤りの個数を所定値と比較する誤り個数比較手段と、
前記誤り個数比較手段の出力に基づき、前記光ディスク装置の読み取り精度の状態を上方あるいは下方に遷移させることで、光ディスク装置の読み取り精度の状態を複数段階に判定する状態判定手段とを備える状態検出装置。
【請求項２】
前記状態判定手段は、前記誤り検出結果保持手段が保持する誤りの個数が所定値以上である場合には前記光ディスク装置の読み取り精度の状態を下方に遷移させ、一方、誤りの個数が所定値よりも少ない場合には前記光ディスク装置の読み取り精度の状態を上方に遷移させるように構成されている請求項１記載の状態検出装置。
【請求項３】
前記状態判定手段は、前記誤り検出結果保持手段が保持する誤りの個数が所定値よりも多い状態が所定セクタ以上連続すると前記光ディスク装置の読み取り精度の状態を下方に遷移させるように構成されている請求項２記載の状態検出装置。
【請求項４】
前記ヘッダー検出手段は、前記アドレス情報に基づき生成された第１のヘッダー検出窓あるいは、１セクタに含まれる複数個のヘッダー領域の配置から得られるヘッダー位置検出信号に基づき生成された第２のヘッダー検出窓を用いてヘッダー領域を検出する請求項１記載の状態検出装置。
【請求項５】
前記ヘッダー検出手段は、前記状態判定手段による光ディスク装置の読み取り精度の状態が所定段階以上である場合には第１のヘッダー検出窓を用いてヘッダー領域を検出し、所定段階を下回る場合には第２のヘッダー検出窓を用いてヘッダー領域を検出する請求項４記載の状態検出装置。
【請求項６】
アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備えた光ディスクに情報を記録、あるいは再生する光ディスク装置において、
前記光ディスクにデータを記録、あるいは再生するための光ヘッドと、
前記光ヘッドで再生したデータから前記ヘッダー領域を検出するヘッダー検出手段と、
検出したヘッダー領域に含まれる誤り検出符号の正誤を判定し、誤りの個数を１セクタ分保持する誤り検出結果保持手段と、
前記誤り検出結果保持手段が保持する誤りの個数を所定値と比較する誤り個数比較手段と、
前記誤り個数比較手段の出力に基づき、前記光ディスク装置の読み取り精度の状態を上方あるいは下方の段階に遷移させることで、光ディスク装置の読み取り精度の状態を複数段階に判定する状態判定手段と、
前記状態判定手段の判定結果に応じて、光ディスク装置の動作を制御する制御手段とを備える光ディスク装置。
【請求項７】
前記制御手段は、前記状態判定手段が光ディスク装置の読み取り精度の状態を所定段階以上と判断している場合には前記光ディスクの記録、再生を許可し、所定段階を下まわると判断している場合には前記光ディスクの記録、再生を禁止する請求項６記載の光ディスク装置。
【請求項８】
前記状態判定手段は、前記誤り検出結果保持手段が保持する誤りの個数が所定値よりも多い状態が所定セクタ以上連続すると前記光ディスク装置の読み取り精度の状態を下方に遷移させるように構成されている請求項６記載の光ディスク装置。
【請求項９】
前記ヘッダー検出手段は、前記アドレス情報に基づき生成された第１のヘッダー検出窓あるいは、１セクタに含まれる複数個のヘッダー領域の配置から得られるヘッダー位置検出信号に基づき生成された第２のヘッダー検出窓を用いてヘッダー領域を検出する請求項６記載の光ディスク装置。
【請求項１０】
前記ヘッダー検出手段は、前記状態判定手段による光ディスク装置の読み取り精度の状態が所定段階以上である場合には第１のヘッダー検出窓を用いてヘッダー領域を検出し、所定段階を下回る場合には第２のヘッダー検出窓を用いてヘッダー領域を検出する請求項９記載の光ディスク装置。
【請求項１１】
１セクタ内に複数個のヘッダー領域を有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、
前記光ディスクにデータを記録、あるいは再生するための集光スポットを形成する光ヘッドと、
前記集光スポットからの反射光を受光し、トラッキング信号を生成するための光検出器と、
前記光スポットが前記光ディスクのヘッダー領域を通過する際の前記光検出器の出力に基づきアドレス情報を生成するアドレス信号生成手段と、
前記アドレス情報に基づき検出窓信号あるいはタイミング信号を生成する窓生成手段とを備える光ディスク装置。
【請求項１２】
アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、
前記光ディスクにデータを記録、あるいは再生するための集光スポットを形成する光ヘッドと、
前記光ヘッドで再生したデータから前記ヘッダー領域を検出するヘッダー検出手段と、
検出したヘッダー領域に含まれる誤り検出符号よりアドレス情報の誤りを検出し、アドレス情報が正しく読み取れている場合には、当該アドレス情報に基づき検出窓やタイミング信号を生成する窓生成手段とを備える光ディスク装置。
【請求項１３】
アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、
前記光ディスクにデータを記録、あるいは再生するための集光スポットを形成する光ヘッドと、
前記集光スポットからの反射光を受光し、トラッキング信号を生成するための光検出器と、
前記光ヘッドで再生したデータから前記ヘッダー領域を検出するヘッダー検出手段と、
検出したヘッダー領域に含まれるアドレス誤り検出領域の誤り検出符号の正誤を判定し、誤りの個数を１セクタ分保持する誤り検出結果保持手段と、
前記誤り検出結果保持手段が保持する誤りの個数を所定値と比較する誤り個数比較手段と、
前記誤り個数比較手段の出力に基づき、前記光ディスク装置の読み取り精度の状態を上方あるいは下方の段階に遷移させることで、光ディスク装置の読み取り精度の状態を複数段階に判定する状態判定手段と、
前記状態判定手段の判定結果が所定段階以上である場合には、検出したヘッダー領域に含まれるアドレス情報に基づき検出窓信号やタイミング信号を生成し、前記状態判定手段の判定結果が所定段階を下まわる場合には、前記光スポットが前記光ディスクのヘッダー領域を通過する際の前記光検出器の出力に基づき求めたアドレス情報に基づき検出窓信号やタイミング信号を生成する窓生成手段とを備える光ディスク装置。
【請求項１４】
前記ヘッダー検出手段は、前記窓生成手段によって生成されたヘッダー検出窓を用いてヘッダー領域を検出する請求項１１、１２、１３のいずれかに記載の光ディスク装置。
【発明の詳細な説明】
【０００１】
【発明の属する技術分野】
この発明は、記録媒体である光ディスクの回転中心に対してスパイラル状に形成された溝部（グルーブ：Ｇとも略す）と溝間部（ランド：Ｌとも略す）の両方に情報を記録し、あるいは、記録した情報を再生するための光ディスク装置に関わるものであり、より詳しくは、前記光ディスクの記録セクタのヘッダに含まれる誤り検出符号（ＩＥＤ）に基づき段階的な光ディスク装置の状態を判断する状態検出装置及び、これを用いることで精度の高い記録／再生を行なうことができる光ディスク装置に関するものである。
【０００２】
【従来の技術】
最近、書換可能な光ディスクの記録密度向上のためにディスクの溝部（グルーブ）と溝間部（ランド）の両方に情報を記録するとともに、ランドとグルーブのトラックをディスク１周ごとに交互に接続することで連続する１本の記録トラックを形成するようにした、いわゆるシングルスパイラルランド／グルーブ（ＳＳ−Ｌ／Ｇ）記録方式を採用した光ディスク（ＤＶＤ−ＲＡＭ）の規格が提案されている。この規格を用いた場合には、同一のグルーブピッチの光ディスクで記録トラックピッチを半減できるため高密度化への効果が大きく、有望な製品となることが期待されている。
かかる光ディスクの構成を図９及び図１０に示す。同図において、ディスク基板上に刻まれた案内溝により、溝部（グルーブ）１０４と溝間部（ランド）１０５が形成され、その上に記録膜１０１が形成されている。記録ピット１０２は図示しない光ディスク装置により走査される集光スポット１０３によって光溝部（グルーブ）１０４と溝間部（ランド）１０５の両方に形成され、図１３に示すように、溝部（グルーブ）１０４と溝間部（ランド）１０５のトラックはディスク１周ごとに交互に接続された連続する１本の記録トラックを形成するようにされている。
【０００３】
また、この光ディスクは図１０に示すように、複数のゾーンと呼ばれる領域に分離（図では３つの場合を例示）されており、各ゾーンにおいてディスク１周に相当するトラックに含まれる記録セクタの数は同一であり、ゾーン間においてはディスクの内周から外周に行くにしたがって所定の個数、例えば１ずつ増加するように構成されている。
【０００４】
次に、かかる光ディスクのトラックフォーマットを説明する。図１１は光ディスクの記録セクタの構成を説明するためのもので、同図（Ｂ）はランドとグルーブの境界（接続部）における記録セクタの識別信号の配置及びアドレス値を示す模式図であり、同図（Ａ）はそれ以外の部分における記録セクタの識別信号の配置及びアドレス値を示す模式図である（ECMA/TC31/97/60参照）。
図において、記録セクタのヘッダを構成する識別情報部は、記録セクタのアドレス情報を含む４つのアドレス領域ＰＩＤ（Physical ID）を含み、光スポットが走査する順に前部（前の２つのＰＩＤ）と後部（後の２つのＰＩＤ）の２つの部分から構成されている。そして、前部は溝部から溝幅（トラックピッチ）の１／２だけ外周側に変位して配置され、また、後部は溝部から溝幅の１／２だけ内周側に変位して配置される千鳥状に配置されている。
本例では説明を簡単にするために、識別情報部を４つのＰＩＤと略して説明するが、識別情報部の中には、この他にＰＬＬ制御用の情報の入る領域（ＶＦＯ）、アドレス再生用の同期情報の入る領域（ＡＭ）、物理アドレスに誤りが生じた場合に備えての誤りの検出や訂正を行う誤り検出符号の入る領域（ＩＥＤ）等が付加されており、これについては後述することにする。
【０００５】
溝部のアドレスは溝部中心から溝幅の１／２だけ内周に変位して配置された情報記録部直前の識別情報部の後部に付加されており、一方、溝間部のアドレスは溝間部中心から溝幅の１／２だけ内周に（結果として、溝間部のアドレスは溝部中心から溝幅の１／２だけ外周に）変位して配置された情報記録部直前の識別情報部の前部に付加されている。
識別情報をトラック中心から溝幅の１／２だけ変位させているのは、このような識別情報部の配置では識別情報部を溝部と溝間部の記録トラックで共用することができ、どちらのトラックを走査しているときにもほぼ同品質の識別情報を読み取ることができるためである。
【０００６】
図１１（Ｂ）は上記したように光ディスクのランドとグルーブの境界線における記録セクタ内の識別信号の配置及びそのアドレス値を説明するための模式図である。ＳＳ−Ｌ／Ｇフォーマットディスクでは、図１０に示したように、半径方向に１箇所溝部の記録トラックと溝間部の記録トラックとが接続される境界線が存在する。溝部の記録トラックと溝間部の記録トラックの接続点の直後の記録トラックにおいては、その識別情報部の識別情報の配置境界部以外の識別情報の配置と同様である。つまり、溝部のアドレスは溝部中心から溝幅の１／２だけ内周に変位して配置された情報記録部直前の識別情報部の後部に付加し、溝間部のアドレスは溝間部中心から溝幅の１／２だけ内周に変位して配置された情報記録部直前の識別情報部の前部に付加するように構成されている。
【０００７】
この光ディスクにおいて溝部の記録トラックと溝間部の記録トラックの接続点を検出するには以下のように行なう。すなわち、トラッキングのかけられた状態において、識別情報部の千鳥状態の前半部分と後半部分がトラック中心に対して内周側／外周側のいずれに変位しているかをトラッキング信号を見ることにより確認できる。また、各セクタのアドレスについては、溝部のセクタは溝部から溝幅の１／２だけ内周側に変位している後半の識別情報、溝間部のセクタは溝間部から溝幅の１／２だけ内周側に変位している前半の識別情報から特定することができる。
【０００８】
従って、かかる構成の光ディスクを記録再生する光ディスク装置では、アドレスの検出を行う場合、トラックキング信号により溝部を走査していると判断した場合には識別情報部の後半部分（外周に変位されている）、また溝間部を走査していると判断した場合には識別情報部の前半部分（内周に変位されている）からＰＩＤを読み取ることによりアドレスを得ることができる。
【０００９】
図１２は識別情報部の詳細を示す図である。識別情報部はヘッダー領域（Ｈｅａｄｅｒ）１〜４で構成され、さらにヘッダー領域１〜４はそれぞれＶＦＯ，ＡＭ（アドレスマーク領域），ＰＩＤ（アドレス領域），ＩＥＤ（アドレス誤り検出領域），ＰＡ（ポストアンブル領域）を含む。ＶＦＯは再生時の同期クロック生成および検出タイミングを得るための単一周波数パターン領域であり、これらは信号再生時に使用するリードチャンネルビットクロックを生成するＰＬＬの引き込み動作に用いられる。ＡＭはヘッダー領域のデータを読み出すために用いられ、特異なチャンネルビットパターンであるＡＭをパターンマッチングすることにより検出し、タイミングを発生したりバイトの境界を判別したりするのに用いられる。
また、ＰＩＤは記録セクタのアドレス情報及び、セクタ情報（ＰＩＤ１〜４のうちどれであるか、あるいはそのセクタはトラックの先頭あるいは最後であるなどの情報）を含む。ＰＩＤにはそれぞれその領域の誤りを判別するためのＩＥＤが付加されている。ＰＩＤ及びＩＥＤは変調されておりＰＡは変調の終了を示すのに用いられる。
ＤＶＤ−ＲＡＭでは、アドレス領域ＰＩＤ１〜４を４回繰り返し記録する。図１１に示したようにＰＩＤ１およびＰＩＤ２は前記溝部の記録セクタのトラック中心から約ｐ／２（ｐはトラックピッチ）だけディスクの内周側に変位して配置され、ＰＩＤ３およびＰＩＤ４は前記溝部の記録セクタのトラック中心から約ｐ／２だけディスクの外周側に変位して配置される。
ＰＩＤ１およびＰＩＤ２は前記溝部の記録セクタのアドレスが、ＰＩＤ３およびＰＩＤ４は前記溝部の記録セクタの外周側に隣接する前期溝間部のアドレスが記録されている。
【００１０】
図１３はこのような光ディスクの記録、再生あるいは停止を制御をする光ディスク装置において、走査されている記録セクタのＰＩＤを特定するための構成を説明するためのブロック図である。
図において、ＰＩＤ１〜４はそれぞれ光ディスクから読み取られた４つのＰＩＤのアドレス値を示す信号である。また、それぞれのＰＩＤにはアドレスに誤りが生じた場合に備えて誤り検出符号ＩＥＤ１〜ＩＥＤ４が付加されており、図中のＩＥＤ１ＯＫ〜ＩＥＤ４ＯＫはこの誤り検出符号による誤り検出結果を示す。
【００１１】
一致判定部１０６は入力されたＰＩＤ１とＰＩＤ２が一致しているかどうかを判定し、一致判定部１０７は入力されたＰＩＤ３とＰＩＤ４が一致しているかどうかを判定する。つまり、図１１で述べたような識別情報部のアドレス配置がなされている光ディスクを記録再生する場合、ＰＩＤを正しく読み取った場合は識別情報の前半部の２つの溝間部アドレスＰＩＤ１、ＰＩＤ２は同じアドレスのはずである。また、後半部の２つの溝部アドレスＰＩＤ３、ＰＩＤ４も同じアドレスのはずである。一致判定部１０６及び１０７ではこのことを確認する。
【００１２】
ＰＩＤ選択部１０８ではＩＥＤ１ＯＫとＩＥＤ２ＯＫの情報をもとに、ＰＩＤ１とＰＩＤ２とのどちらか正しく読み取れた方を判断し出力する。この判断は判定テーブル２０３、２０４で行なう。図１４（Ａ）はＰＩＤ選択部がどのようにＰＩＤを選択するかを説明するための図であり、これは図１３中の判定テーブル２０３の一例を示すものである。ＰＩＤ１とＰＩＤ２が一致している場合には、ＩＥＤ１ＯＫとＩＥＤ２ＯＫのうち少なくとも一つが誤って読み取ったことを示す信号を出力している場合においても、ＰＩＤ選択部３はＰＩＤ１とＰＩＤ２とのどちらを出力しても良く、ここではＰＩＤ２の値を出力するものとする。
【００１３】
一致判定部１０６でＰＩＤ１とＰＩＤ２が一致していないと判定した場合、ＰＩＤ選択部１０８は、もしＩＥＤ１ＯＫが正しく読み取れたことを示す信号を出力していればＰＩＤ１を、もしＩＥＤ２ＯＫが正しく読み取れたことを示す信号を出力していればＰＩＤ２を選択出力する。ＩＥＤ１ＯＫとＩＥＤ２ＯＫはともに正しく読み取れたことを示す信号を出力している場合や、ともに誤って読み取ったことを示す信号を出力している場合には、どちらが正しく読み取られたＰＩＤであるか判断できないため、ＰＩＤ選択部１０８はＰＩＤ１とＰＩＤ２とのどちらかを出力するしかないが、ここではＰＩＤ２の値を出力するものとする。
これは、ＩＤ情報の読み出しには、周期的に現れるＩＤに同期保護をかけ、毎回再同期を繰り返しながら行うのが一般的であり、ＰＩＤ１とＰＩＤ２とでは時間軸上で後方に配されるＰＩＤ２のほうがより正確に読み取ることができると考えられるため、ＰＩＤ１とＰＩＤ２とでどちらを選択してもよい場合にはＰＩＤ選択部１０８ではＰＩＤ２の値を優先的に出力する方がよいからである。
【００１４】
また、本例ではＩＥＤ１ＯＫとＩＥＤ２ＯＫがともに誤って読み取ったことを示す信号を出力している場合には、ＰＩＤ選択部１０８の出力の信頼性が少ないことを示す信頼性判定信号（”Ｌ”）を出力する。
なお、ＩＥＤ１ＯＫとＩＥＤ２ＯＫがともに誤って読み取ったことを示す信号を出力し、かつ、一致判定部１０６が一致していないことを示している場合にのみ、ＰＩＤ選択部１０８の出力の信頼性が少ないことを示す信号を出力してもよい。
【００１５】
ＰＩＤ選択部１０８と同様に、ＰＩＤ選択部１０９ではＩＥＤ３ＯＫとＩＥＤ４ＯＫをもとに、ＰＩＤ３とＰＩＤ４とのどちらか正しい確率の高い方を出力する。この際の動作は図１４（Ｂ）に示す判定テーブル２０４に従う。一致判定部１０７の出力が一致している場合や、一致判定部１０７の出力が一致せず、かつ、どちらが正しく読み取られたＰＩＤであるか判断できない場合には、上述と同様の理由から便宜上、ＰＩＤ４の値を出力するものとする。
【００１６】
ＩＥＤ３ＯＫとＩＥＤ４ＯＫはともに誤って読み取ったことを示す信号を出力しており、一致判定部１０７がＰＩＤ３とＰＩＤ４とが一致していないと判定した場合には、ＰＩＤ選択部１０９の出力の信頼性が少ないことを示す信号（”Ｌ”）を出力する。
【００１７】
セクタアドレス選択出力部１１０はＰＩＤ選択部１０８から２つ、ＰＩＤ選択部１０９から２つ、計４つの信号を受け、セクタアドレスを選択出力する。１トラックあたりのセクタ数ＮはＭＰＵ（マイクロプロセッサ）などで管理可能であり、また、走査しているトラックが溝部なのか溝間部なのかを表す信号（Ｇ／Ｌ）は、トラッキングのかけられた状態で、識別情報領域の前半部分と後半部分がトラック中心に対して内周側／外周側のどちらに変位しているか（千鳥配置）を見て検出したもので、これらの信号はセクタアドレス選択出力部１１０の出力を決定する際に用いられる。
例えば、Ｇ／Ｌ信号により走査しているトラックがグルーブである場合について説明する。ＰＩＤ選択部１０９及びＰＩＤ選択部１０８の出力の信頼性が少ないことを示す信頼性判定信号が出力されていない状態である場合には、アドレスはＰＩＤ３かＰＩＤ４かを読み取ればよく、ここではＰＩＤ選択部１０９の出力を採用する。
他の場合として、ＰＩＤ選択部１０９の出力の信頼性が少ないことを示す信頼性判定信号が出力されており、一方で、ＰＩＤ選択部１０８の出力の信頼性が少ないことを示す信号が出力されていない状態である場合には、アドレスはＰＩＤ３かＰＩＤ４かを読み取ればよく、ここでは、ＰＩＤ選択部１０９の出力を採用するが、ＰＩＤ選択部１０９の出力の信頼性が少ないことを示す信号が出力されているため、信頼性の高いＰＩＤ選択部１０８の出力から１トラックあたりのセクタ数Ｎを減算した値を出力するようにする。
【００１８】
通常、誤りとされるＰＩＤが３つ以上の場合にそのセクタに対しては交替セクタを用いることが多い。この方法では、４つのＰＩＤのうち少なくとも１つのＰＩＤを誤りなく読み取ることができれば正しくアドレスの特定ができるという利点があるが、１トラックあたりのセクタ数Ｎとの関連づけが前提となるため、差分をとる回路が必要となりゲート数増大の要因となる。また１トラックあたりのセクタ数Ｎが正しく与えられなければ誤ったアドレスを出力する可能性がある。
【００１９】
【発明が解決しようとする課題】
このような光ディスクを駆動する光ディスク装置では、通常、装置の起動、例えば記録、再生の開始時期を、光ディスクから再生された同期信号の検出状態あるいは再生信号の誤り訂正符号の状態等から判断し、決定するように構成されている。
かかる装置では、例えば何らかの外乱などが装置に入力した場合、実際には装置の起動が可能であるのに不可能であると判断したり、逆に起動が不可能であるのに可能と判断したりするケースが生じ易く、精度の高い情報の記録／再生が困難であるという問題点があった。
また、このような光ディスク装置では、情報を記録するためのタイミングを設定するためのゲート（窓）信号や、再生されたデータからヘッダのみを抽出するためのゲート信号や、逆にヘッダを除外して純粋な再生信号のみを抽出するためのゲート信号等、種々のゲート信号を生成するためにヘッダに含まれるアドレスを用いるが、装置の起動時などでは得られるアドレスが不確か（精度が低い）で、精度の高いゲート信号が得られないという問題点があった。
【００２０】
この発明は以上のような問題点を解決するためになされたもので、光ディスク装置の動作状態を精度よく判断することができる状態検出装置及び、ＳＳ−Ｌ／Ｇフォーマットで記録された光ディスクおいて精度の高い情報の記録／再生が行なえる光ディスク装置を得ることを目的とする。
【００２１】
【課題を解決するための手段】
本発明に係る状態検出装置は、アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備えた光ディスクにデータを記録、あるいは再生する光ディスク装置の読み取り精度の状態を検出する状態検出装置において、前記ヘッダー領域を検出するヘッダー検出手段と、検出したヘッダー領域に含まれるアドレス誤り検出領域の誤り検出符号の正誤を判定し、誤りの個数を１セクタ分保持する誤り検出結果保持手段と、前記誤り検出結果保持手段が保持する誤りの個数を所定値と比較する誤り個数比較手段と、前記誤り個数比較手段の出力に基づき、前記光ディスク装置の読み取り精度の状態を上方あるいは下方に遷移させることで、光ディスク装置の読み取り精度の状態を複数段階に判定する状態判定手段とを備える。
【００２２】
本発明の状態検出装置における状態判定手段は、前記誤り検出結果保持手段が保持する誤りの個数が所定値以上である場合には前記光ディスク装置の読み取り精度の状態を下方に遷移させ、一方、誤りの個数が所定値よりも少ない場合には前記光ディスク装置の読み取り精度の状態を上方に遷移させるように構成される。
【００２３】
本発明の状態検出装置における状態判定手段は、前記誤り検出結果保持手段が保持する誤りの個数が所定値よりも多い状態が所定セクタ以上連続すると前記光ディスク装置の読み取り精度の状態を下方に遷移させるように構成される。
【００２４】
本発明の状態検出装置におけるヘッダー検出手段は、前記アドレス情報に基づき生成された第１のヘッダー検出窓あるいは、１セクタに含まれる複数個のヘッダー領域の配置から得られるヘッダー位置検出信号に基づき生成された第２のヘッダー検出窓を用いてヘッダー領域を検出する。
【００２５】
本発明の状態検出装置におけるヘッダー検出手段は、前記状態判定手段による光ディスク装置の読み取り精度の状態が所定段階以上である場合には第１のヘッダー検出窓を用いてヘッダー領域を検出し、所定段階を下回る場合には第２のヘッダー検出窓を用いてヘッダー領域を検出する。
【００２６】
本発明にかかる光ディスク装置は、アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備えた光ディスクに情報を記録、あるいは再生する光ディスク装置において、前記光ディスクにデータを記録、あるいは再生するための光ヘッドと、前記光ヘッドで再生したデータから前記ヘッダー領域を検出するヘッダー検出手段と、検出したヘッダー領域に含まれる誤り検出符号の正誤を判定し、誤りの個数を１セクタ分保持する誤り検出結果保持手段と、前記誤り検出結果保持手段が保持する誤りの個数を所定値と比較する誤り個数比較手段と、前記誤り個数比較手段の出力に基づき、前記光ディスク装置の読み取り精度の状態を上方あるいは下方の段階に遷移させることで、光ディスク装置の読み取り精度の状態を複数段階に判定する状態判定手段と、前記状態判定手段の判定結果に応じて、光ディスク装置の動作を制御する制御手段とを備える。
【００２７】
本発明の光ディスク装置における制御手段は、前記状態判定手段が光ディスク装置の読み取り精度の状態を所定段階以上と判断している場合には前記光ディスクの記録、再生を許可し、所定段階を下まわると判断している場合には前記光ディスクの記録、再生を禁止する。
【００２８】
本発明の光ディスク装置における状態判定手段は、前記誤り検出結果保持手段が保持する誤りの個数が所定値よりも多い状態が所定セクタ以上連続すると前記光ディスク装置の読み取り精度の状態を下方に遷移させるように構成される。
【００２９】
本発明の光ディスク装置におけるヘッダー検出手段は、前記アドレス情報に基づき生成された第１のヘッダー検出窓あるいは、１セクタに含まれる複数個のヘッダー領域の配置から得られるヘッダー位置検出信号に基づき生成された第２のヘッダー検出窓を用いてヘッダー領域を検出する。
【００３０】
本発明の光ディスク装置におけるヘッダー検出手段は、前記状態判定手段による光ディスク装置の読み取り精度の状態が所定段階以上である場合には第１のヘッダー検出窓を用いてヘッダー領域を検出し、所定段階を下回る場合には第２のヘッダー検出窓を用いてヘッダー領域を検出する。
【００３１】
本発明にかかる光ディスク装置は、１セクタ内に複数個のヘッダー領域を有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、前記光ディスクにデータを記録、あるいは再生するための集光スポットを形成する光ヘッドと、前記集光スポットからの反射光を受光し、トラッキング信号を生成するための光検出器と、前記光スポットが前記光ディスクのヘッダー領域を通過する際の前記光検出器の出力に基づきアドレス情報を生成するアドレス信号生成手段と、前記アドレス情報に基づき検出窓信号あるいはタイミング信号を生成する窓生成手段とを備える。
【００３２】
本発明にかかる光ディスク装置は、アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、前記光ディスクにデータを記録、あるいは再生するための集光スポットを形成する光ヘッドと、前記光ヘッドで再生したデータから前記ヘッダー領域を検出するヘッダー検出手段と、検出したヘッダー領域に含まれる誤り検出符号よりアドレス情報の誤りを検出し、アドレス情報が正しく読み取れている場合には、当該アドレス情報に基づき検出窓やタイミング信号を生成する窓生成手段とを備える。
【００３３】
本発明にかかる光ディスク装置は、アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、前記光ディスクにデータを記録、あるいは再生するための集光スポットを形成する光ヘッドと、前記集光スポットからの反射光を受光し、トラッキング信号を生成するための光検出器と、前記光ヘッドで再生したデータから前記ヘッダー領域を検出するヘッダー検出手段と、検出したヘッダー領域に含まれるアドレス誤り検出領域の誤り検出符号の正誤を判定し、誤りの個数を１セクタ分保持する誤り検出結果保持手段と、前記誤り検出結果保持手段が保持する誤りの個数を所定値と比較する誤り個数比較手段と、前記誤り個数比較手段の出力に基づき、前記光ディスク装置の読み取り精度の状態を上方あるいは下方の段階に遷移させることで、光ディスク装置の読み取り精度の状態を複数段階に判定する状態判定手段と、前記状態判定手段の判定結果が所定段階以上である場合には、検出したヘッダー領域に含まれるアドレス情報に基づき検出窓信号やタイミング信号を生成し、前記状態判定手段の判定結果が所定段階を下まわる場合には、前記光スポットが前記光ディスクのヘッダー領域を通過する際の前記光検出器の出力に基づき求めたアドレス情報に基づき検出窓信号やタイミング信号を生成する窓生成手段とを備える。
【００３４】
本発明の光ディスク装置におけるヘッダー検出手段は、前記窓生成手段によって生成されたヘッダー検出窓を用いてヘッダー領域を検出する。
【００３５】
【発明の実施の形態】
以下、この発明の実施の形態を図面に基づき具体的に説明する。
実施の形態１．
図１は本発明の実施の形態１である光ディスク装置の全体構成を示すブロック図である。同図において、１は光ディスクに記録されたデータを光学的に再生する、あるいは光ディスクにデータを光学的に記録する光ピックアップ（光ヘッド）、２は光ピックアップで再生した再生信号を増幅し、所定のスライスレベルで２値化するなどの処理を行うＡＳＰ（Analog Signal Processor）、３は記録時にレーザーパワーを制御するＡＬＰＣ（Auto Laser Power Control）、４はＡＳＰ２で処理された再生信号からヘッダーを抽出するヘッダー検出器、５は誤り検出結果保持部、６は誤り個数比較器、７は誤り個数比較器６の出力から光ディスク装置の状態を以下に述べるように判定する状態判定手段を構成する状態カウンタ、８は再生オンオフ判定部、９は記録オンオフ判定部、１０はヘッダーに含まれるアドレスに基づき再生データの位置を検出する再生データの位置カウンタ、１１はゲート（窓）信号生成器である。なお、本発明において用いられる光ディスクは従来例において説明したものと同様の構成を有する。
【００３６】
ＡＳＰ２で処理されたデータはヘッダー検出器４において各記録セクタの先頭に位置するヘッダー内に多重書きされている複数の（ＤＶＤ−ＲＡＭでは４つの）ヘッダ情報からＡＭ（Address Mark）を検出しバイト同期をとる。誤り検出結果保持部５はアドレス領域（ＰＩＤ１〜４）に付加されている誤り検出符号（ＩＥＤ１〜４）から、それぞれ読み取った領域の情報が正しいか否かを検出し、これを誤り検出情報として１セクタ分保持する。誤り個数比較器６は保持された４つの誤り検出情報を判断し、いくつの情報が正しく読み取れたか（あるいは誤っていたか）を判定し、これを所定値と比較する。
【００３７】
本願発明に係る状態検出装置の要部を構成する状態カウンタ７では、誤り個数比較器６の比較結果に従って系の状態の遷移（上昇あるいは下降）を制御し、光ディスク装置の状態を複数段階に判定する。ここでいう系の状態とは光ディスク装置において、起動直後やトラックジャンプ後のようにヘッダーの読み取り精度が低い状態からほぼ確実にヘッダーが正しく読み取れるような高い状態までの装置の状態を数値的に段階的に表したものであって、例えば、”state0”ないし”state3”と４段階にレベル表現したものである。
【００３８】
この装置の状態を表す状態フラッグに基づいて、再生オンオフ判定部８および記録オンオフ判定部９では、光ディスク装置の記録あるいは再生の許可、ないし記録再生の禁止命令を出力するように構成している。すなわち、装置の状態が所定レベル以上である場合には光ディスク装置が記録／再生を正常に行なえる状態であると判断し、一方、状態が所定レベルを下回わる場合には光ディスク装置が記録／再生を正常に行なえない状態であると判断する。
これらの判定部８、９はゲートで構成したりあるいはＭＰＵ（マイコン）を用いることで容易に構成することができる。
【００３９】
図２は本発明による状態遷移の概念を説明するための図である。誤り個数比較器６でマイコンなどにより外部から設定される所定数、例えば１セクタにおいて３個以上、アドレス領域（ＰＩＤ１〜４）が正しく読めれば、状態カウンタ７は出発点である”state0”から”state1”へ状態を１段階遷移させる（１）。さらに次のセクタにおいても所定数以上正しく読めれば、”state1”から”state2”へ（２）、さらに、次のセクタも正しく読めれば”state2”から”state3”へ（３）と順次遷移させる。これらの状態遷移のタイミングは窓生成器１１により生成する。
この例では”state3”より上の状態は設定していないので、さらに次のセクタにおいても正しく読めた場合にはその状態を保持するように構成されている（４）。
ただし、状態カウンタ７のビット数が許せばさらに上位のステート（状態）を設定しても良いのは当然であり、そのようにすることで一層細やかに装置の状態を判定でき、より精度の高い装置の記録／再生制御を行なうことができる。
【００４０】
一方、状態カウンタ７は所定数以上誤り検出情報が正しく読めない場合には、状態を順次下方に遷移（５→６→７）させる。
なお、ＤＶＤ−ＲＡＭでは１６セクタをまとめて誤り訂正などの処理する。このような場合には、系の状態を下方に遷移させる際、１つのセクタにおいて所定数以上誤り検出情報が正しく読めないからといって直ちに状態を下方に遷移させるのではなく、ある所定セクタの間は同一の状態に保持（８、９）し、さらに読めない状態が続くようであればその時点で系の状態を下方に遷移させるように構成した方がよい。このようにすることで、装置が実際には記録／再生が可能な状態であるにもかかわらず記録／再生を停止させるような事態が少なくなり、光ディスクの種類によっては有効かつ適切な制御が行なえる。
【００４１】
図１に説明を戻す。
再生データの位置カウンタ１０は、現在再生しているデータの光ディスクに記録されていた位置（ＰＵのある位置）がセクタのどこであるかを検出するためのカウンタであり、ＰＩＤに記録されているアドレス情報などによりカウンタをリセットする。窓生成器１１は位置カウンタ１０の出力から、再生データの検出精度を上げるための再生データ検出窓（ゲート）や、セクタにデータを記録するためのタイミングを示す記録タイミングゲートや、状態カウンタ７における状態遷移のタイミング信号などを生成する。
【００４２】
１２は光ディスクから読み出されＡＳＰで２値化された再生データから再生データ検出窓を用いてヘッダを除去し純粋な再生データのみを検出する再生データ検出部、１３は再生データの復調や誤り訂正などを行う再生データ処理部、１４は記録すべきデータの変調などを行う記録データ処理部、１５は記録データや再生データを一時、保持しておくためのバッファメモリ、１６はバッファメモリ１５の動作を制御するメモリ制御部、１７は読み出されたＰＩＤからセクタアドレスを検出するアドレス検出部である。
【００４３】
図１に従って光ディスク装置の再生動作を説明する。
まず、光ピックアップ１で読み出された再生信号はＡＳＰ２で増幅され、２値化（ディジタル化）される。このディジタル信号を受けて、ヘッダー検出器４はバイト同期をとり、ＰＩＤの検出等を行う。検出されたＰＩＤに記録されたアドレス情報により位置カウンタ１０は再生された信号の光ディスク上の位置を知ることができ、かかる位置カウンタ１０の出力信号から窓生成器１１は様々な検出窓やタイミング信号を生成することができる。再生データ検出部１２は入力される再生データを窓生成器１１で生成した再生データ検出窓によって抜き出し、再生データ処理部１３で、８／１６復調、誤り訂正（ＥＣＣ）、デスクランブル、ＥＤＣなどのデータ処理を行う。処理されたデータはバッファメモリ１５に一旦記録され、パソコンなどのホスト（Ｈｏｓｔ）に供給される。
メモリ制御部１６はこの一旦記録するなどの制御を司る。
【００４４】
一方、上記したヘッダーの処理に伴い、状態カウンタ７では状態フラッグに応じて再生オンオフ判定部８から出力される再生の許可あるいは禁止の信号をメモリ制御部１６に供給し、バッファメモリ１５に当該再生データを記録するかしないかによって再生の許可や禁止が制御される。
ここでいう再生の許可や禁止は、実際には、アドレス検出部１７でセクターアドレスを検出し、再生したい所望のセクターに到達したという状況下においてはじめて意味をもつものであり、当然、所望のセクターに到達していない状況では再生可能な状態を維持しているだけにすぎない。
【００４５】
次に記録時の動作を説明する。パソコンなどのホスト（Ｈｏｓｔ）から供給されるデータはバッファメモリ１５に記録され、記録データ処理部１４において、ＥＤＣ付加、データのスクランブル、ＥＣＣ符号化、８／１６変調といった一定のデータ処理が施され、ＡＬＰＣ３に供給される。ＡＬＰＣ３には窓生成器１１で生成した記録タイミングゲートや、状態カウンタ７の状態フラッグに応じて記録オンオフ判定部９から出力される記録の許可あるいは禁止の信号も供給し、信号の記録を制御する。
ここでいう記録の許可や禁止は、上記再生時と同様にアドレス検出部１７でセクターアドレスを検出し、記録する所望のセクターに到達した状況下におけるものであり、当然、所望のセクターに到達していない状況では記録可能な状態にあることを意味する以上のものではない。
【００４６】
以上のように本実施の形態によれば、光ディスクの記録セクタに含まれる誤り検出符号（ＩＥＤ）の誤り状態に基づき状態カウンタ７が段階的な光ディスク装置の状態を判断するようにしているので、精度の高い記録／再生制御が行なえる効果がある。
【００４７】
実施の形態２．
図３は本発明の実施の形態２である光ディスク装置の全体構成を示すブロック図である。詳細は実施の形態１と同様であるので特徴的な部分につき説明する。図において、１８は窓オンオフ制御部、１９は位置補正手段選択部である。
上述の実施の形態１では、ヘッダー検出器４はＡＳＰ２からの再生データを基にＡＭ（Address Mark）を抽出しヘッダーを検出するようにしているが、そのパターンマッチングの際、ヘッダー部とは違う箇所、例えばデータ記録部などにＡＭを誤検出することが起こる。このような場合にはヘッダー検出部は当該セクタのヘッダー部を正確に抽出することができなくなる。本実施の形態は、その対策としてなされたもので、窓生成器１１で生成したヘッダー検出窓を用いてデータのヘッダー位置を予測しておくことで誤検出を防止するものである。ただし、窓生成器１１の出力は系の状態、即ち光ディスク装置の状態に影響を受けるため、本実施の形態では、窓オンオフ制御部１８において、ヘッダー検出窓を有効にするか無効にするかを状態カウンタ７の出力である状態フラッグに応じて制御するようにしている。
【００４８】
図４は系の状態に応じてヘッダー検出窓を切り換えて使用する例を示したものである。上記したヘッダー検出窓には、例えば図に示すようなＡＭ検出窓、ＩＥＤ検出窓などを含む。装置の状態が不安定な”state0”においてはＡＭが存在すると予測されるヘッダー付近に大きくＡＭ検出窓を開き、ヘッダーの検出を行う。装置の状態がある程度以上安定したと考えられる”state1”以降では、ＡＭ検出窓もより厳しい、小さい窓に切り換え、正確にヘッダーを検出するようにする。ＩＥＤ検出窓も同様で、”state0”においてはヘッダーのＰＩＤに付加される誤り検出符号（ＩＥＤ）の付近に大きくＩＥＤ検出窓を生成し、系の状態が安定するに伴い、より厳しい、小さい窓に切り換えて検出を行う。
【００４９】
この切り換えは図３中の位置補正手段選択部１９で行なう。位置補正手段選択部１９は、大きな窓を生成するために用いるＡＳＰ２で検出したヘッダー位置検出信号と、小さい窓を生成するために用いるヘッダ検出器で読み出したＰＩＤに記録されているアドレス情報とを、系の状態に応じて切り換える。
図５はＡＳＰ２から出力されるヘッダー位置検出信号を示すものである。ヘッダー位置検出信号（RAMHUPG）は物理的に外周側に変位して配置されるヘッダー１及び２の位置を、RAMHLWGは物理的に内周周側に変位して配置されるヘッダー３及び４の位置を、ＰＵ１が走査していることを示す信号である。それぞれの信号は遅延して出力され図のような信号となる。この信号からヘッダーの先頭、あるいは中間などを検出できるのでこの位置情報を用いることで再生データの位置カウンタ１０は再生データの位置を予測することができ、この予測情報から窓信号を生成することができる。
また、アドレス情報には読み出されたＰＩＤが何番目であるか（ＰＩＤ１〜４のどれか）が記録されており、より正確な位置信号として利用できる。
従って、位置補正手段選択部１９は、装置の動作が不安定でＰＩＤから再生したアドレス情報の精度が低い”state0”の状態においてはＡＳＰから得られる信号から再生データの位置カウンタ１０が再生データの大まかな位置を検出し、装置の動作がある程度安定になったと想定できる”state1”以降の状態においてはヘッダー検出器４から得られるアドレス信号から再生データの位置カウンタ１０が再生データの正確な位置を検出するように切り替えられることにより、窓生成器１１の出力の精度を装置の状態に応じてより精度の高いものとすることができる。
【００５０】
実施の形態３．
図６は本発明の実施の形態３である光ディスク装置の要部構成を示すブロック図で、実施の形態２において説明した各部のより具体的な回路構成の一例を示すものである。
まず、図６の構成を図３を参照しつつ説明する。２０は第１の誤り検出結果保持部、２１は第２の誤り検出結果保持部でこの両者により誤り検出結果保持部５を構成する。２２は誤り個数比較器で誤り個数比較器６に対応するものである。２３は状態遷移制御部で状態符号化器２３１、状態カウンタ２３２を含み状態カウンタ７に対応する。２４は第１の位置検出部で位置符号化器２４１、位置補正カウンタ２４２、位置基準検出器２４３を含む。２５は第２の位置検出部でありこの第１、第２の位置検出部２４、２５で再生データの位置カウンタ１０を構成する。２６は位置補正手段選択部で図３の位置補正手段選択部１９に対応する。ここで、図６の再生データの位置カウンタと位置補正手段選択部の図中の位置関係は図３と異なっているが、装置の機能は全くかわらないものである。２７は窓生成部で窓生成カウンタ２７１、窓生成器２７２を含みこれは窓生成器１１に相当する。
２８はランドＰＩＤ検出部でランドＰＩＤカウンタ制御部２８１、ランドＰＩＤカウンタ２８２を含む。２９はグルーブＰＩＤ検出部でグルーブＰＩＤカウンタ制御部２９１、グルーブＰＩＤカウンタ２９２を含む。３０はセクタアドレス出力部であり、具体的な説明は後述する。
【００５１】
次に、図６の各部に入力される信号を説明する。
ＰＩＤは従来例の図１５で示したように４バイト（３２ビット：b31〜b0）で構成され、b29,b28はここでは信号PIDNUM（Physical ID number）と称し、再生されるアドレス領域ＰＩＤがＰＩＤ１〜４のどれであるかを表すように記録されており、光ピックアップ１が走査している位置を検出するのに用いることができる。またb23〜b0の３バイトは光ディスク上における記録セクタのセクターアドレスを表し、ここでは信号SECNUM（Sector number）と称する。
【００５２】
ヘッダー検出においてはＰＩＤに付加されるＩＥＤのシンドローム計算をバイト毎に行う。その計算結果が”０”になった場合には、信号IEDDET（IED Detector）は”Ｌ”レベルの信号となり、その計算結果が現れるタイミングを表すイネーブル信号をAMENと称する。AMENが”Ｌ”レベルの時、IEDDETが”Ｌ”レベルであればヘッダーＰＩＤのＩＥＤが良好（ＯＫ）、つまり正しくＰＩＤが読みとれたことを示す。以降、ＩＥＤがＯＫと言えばこの条件を満たすものとする。
信号IEDWIN（IED Window）はIEDWIN1〜IEDWIN4がＰＩＤ１〜４のそれぞれに対応する前記AMENの出現位置近傍で”Ｌ”レベルの信号となるもので、ＩＥＤが正しい位置で検出できたかを確認するために用いる検出窓である。また信号HSETはヘッダー部の先頭を、信号STATEENはこの発明で示される系の状態遷移のタイミングを示すものである。これらの検出窓あるいはタイミング信号は窓生成部２７にて生成される。
信号RAMHUPGおよびRAMHLWGについては実施の形態２で示したのでここでは説明を省略する。
信号L/Gはランドとグルーブの切り換え信号であり、これにより現在光ピックアップ１が走査しているセクタがランドかグルーブか認識することができる。このL/G信号はヘッダーの千鳥配置の変化あるいはヘッダー内に記録されているL/G切換点検出信号に基づき生成される。
【００５３】
以下に動作の詳細を述べる。まずは、系の状態遷移の手順について説明する。第１の誤り検出結果保持部２０はヘッダー検出窓であるＩＥＤ検出窓を無効にするなどして大まかにヘッダーの誤り検出を行った結果得られたヘッダー位置検出信号（図３のＡＳＰ２の出力）を、第２の誤り検出結果保持部２１はヘッダー検出器４においてヘッダー検出窓により厳しく誤り検出を行った結果得られたアドレス信号（図３のヘッダー検出器４の出力）をそれぞれ保持する部分である。ＤＶＤ−ＲＡＭにおいてはヘッダー情報が４つ重ね書きされていることから図６では各ブロックは４つのレジスタで構成されている。
【００５４】
誤り個数比較器２２では、第１の誤り検出結果保持部２０中の各レジスタの値（IEDFLAG1：４ビット）のうち”Ｌ”レベルの信号であるビット数を検出し、所定数（４分のいくつか）以上が”Ｌ”レベルであればそのセクタのヘッダーが正しく読み取れたものとして、フラッグ（RIEDLOCK）を”Ｈ”レベルにして出力する。第２の誤り検出結果保持部２１も各レジスタの値（IEDFLAG2：４ビット）のうち”Ｌ”レベルの信号であるビット数を検出し、所定数（４分のいくつか）以上が”Ｌ”レベルであれば正しくヘッダーが読み取れたものとして、フラッグ
（IEDLOCK）を”Ｈ”レベルにして出力する。
【００５５】
状態遷移制御部２３は、前記したフラッグ（RIEDLOCKおよびIEDLOCK）を受けて状態遷移の制御を行う。実施の形態２の図４に示したような場合においては”state0”ではフラッグ（RIEDLOCK）が”Ｈ”レベル、つまり大まかな位置でヘッダーが正しく検出できた時には”state1”に状態を上昇させる。”state1”以降ではフラッグ（IEDLOCK）が”Ｈ”レベル、つまり厳しく限定された位置においてヘッダーが正しく検出できた時には”state2”に状態を上昇させる。状態符号化器２３１ではこうした制御を行うものであり、検出窓を有効にするか無効にするかを系の状態に応じて切り換えるスイッチ機能を有する。状態カウンタ２３２ではヘッダー検出後１セクタ毎に状態符号化器２３１の出力をロードする。
【００５６】
なお、状態遷移制御部２３の構成はこの限りではなく、状態遷移の方向（上昇か下降か状態を保持か）を状態符号化器２３１から出力し、それを受けるアップダウンカウンタで構成しても良く、同様の効果が得られる。
【００５７】
次に、窓生成の手順について説明する。
第１の位置検出部２４はヘッダー検出器４からの出力である、再生されるアドレス領域ＰＩＤがＰＩＤ１〜４のどれであるかが記録されている信号PIDNUMから、第２の位置検出部２５はＡＳＰ２の出力であるアナログ的に検出できるヘッダーの位置信号（RAMHUPGおよびRAMHLWG）から、走査している位置を検出する。位置補正手段選択部２６でどちらの信号から位置検出するかを、前記した系の状態に応じて切り換える。図６においては”state0”では第２の位置検出部２５、”state1”より上の系では第１の位置検出部２４の出力が選択され、窓生成部２７へ入力される。
【００５８】
図７は位置補正の動作タイミングチャートを示したものである。
図７（Ａ）は信号RAMHUPGおよびRAMHLWGの重なりから、RAMHMIDと称する信号を作る。これが初期段階”state0”における窓生成カウンタ２７１（INNERcounter）のロードタイミングで、ロード値（VAL_A）をロードし窓生成カウンタ２７１をリセットする。
こうして生成された検出窓内でＡＭを検出し、ＩＥＤがＯＫとなることにより状態が”state1”に遷移する。
【００５９】
図７（Ｂ）は検出されたPIDNUMから再生されたアドレス領域がＰＩＤ１〜４のどれであるかが分かるため、位置符号化器２４１において、位置補正カウンタ２４２（PIDcounter）にロードする値（VAL_C1〜VAL_C4）を符号化する。図においてＰＩＤ１のＩＥＤがＯＫであるので位置補正カウンタ２４２に符号化されたロード値（VAL_C1）をロードする。ＰＩＤ２、ＰＩＤ３ではＡＭの検出エラーやＰＩＤにエラーが含まれていたためにＩＥＤがＯＫでなかったので位置補正カウンタ２４２にはロードせずカウンタは自走している。ＰＩＤ４で再びＩＥＤがＯＫとなりロード値（VAL_C4）をロードし、リセットする。位置補正カウンタ２４２の所定値を検出した信号をCNTMODとし、このタイミングに合わせたロード値（VAL_B）をロードし窓生成カウンタ２７１を再びリセットする。窓生成器２７２では窓生成カウンタ２７１の出力を基にゲート処理し各種窓を生成する。
【００６０】
次に、セクタアドレスの出力の手順について説明する。
ランドＰＩＤ検出部２８はランドＰＩＤカウンタ制御部２８１及びランドＰＩＤカウンタ２８２で構成される。ランドＰＩＤカウンタ２８２はＰＩＤ１あるいはＰＩＤ２が正しく読み取れた（ＩＥＤがＯＫ）の場合にはその際の前記SECNUM３バイト（２４ビット）をロードし、共に正しく読み取れなければ値を”１”インクリメントするカウンタであり、その制御をランドＰＩＤカウンタ制御部２８１で行うものである。
グルーブＰＩＤ検出部２９も同様であるので説明を省略する。
セクタアドレス出力部３０ではＰＩＤ１及び２に記録されたランド部セクターアドレス、ＰＩＤ３及び４に記録されたグルーブ部セクターアドレスを、外部より入力されるランド部かグルーブ部かの切り換え信号L/Gにより、走査するセクターのアドレスを選択し出力する。
【００６１】
セクターアドレスの読みとり動作を図８に沿って具体的に説明する。このブロックに入力される信号はIEDDET、AMEN、IEDWIN1〜IEDWIN4、SECNUM、L/Gである。ＡＭ検出窓AMWIN内においてＡＭ検出信号AMDTが検出されることによってバイト毎にヘッダーの信号処理を施すことができるようになる。つまり、正しくＡＭ検出がされなければＩＥＤはＯＫとならない。また、読みとられたＰＩＤに誤りが含まれていればＩＥＤはＯＫとはならない。
【００６２】
図８ではIEDWIN1内においてIEDDETが”Ｌ”レベルかつAMENが”Ｌ”レベルとなった、つまり所定の位置でＩＥＤがＯＫとなったためその際に読み出されていたSECNUMをランドＰＩＤカウンタ２８２にロードする。当然、ＰＩＤ１及びＰＩＤ２の２回ロードする機会があるが、この例ではＰＩＤ２に付加されるＡＭが正しく検出できなかったためにIEDWIN2においてはロードしない。
続いてＰＩＤ３はＡＭ検出はできたがＰＩＤに誤りが含まれており、またＰＩＤ４はＰＩＤ２と同様の理由でＩＥＤがＯＫとならなかった。このように、共に正しく検出できなかった場合にはIEDWIN4の終わりなどのタイミングでグルーブＰＩＤカウンタ２９２のカウンタ値を”１”増加させる。
このランドＰＩＤカウンタ２８２またはグルーブＰＩＤカウンタ２９２の出力を切り換え信号L/Gが”Ｈ”レベルか”Ｌ”レベルかに応じて選択し出力することで、セクターアドレスを保護することが可能である。
【００６３】
ＤＶＤ−ＲＡＭにおいてはヘッダー部の２種類のアドレスを連続的に走査するため前半部か後半部かを認識する信号が必要であり、窓生成部２７で生成される信号IEDWIN1〜IEDWIN4をこの認識のために用いられる。
【００６４】
【発明の効果】
この発明は、以上のように構成されているので、以下に示すような効果を奏する。
【００６５】
本発明に係る状態検出装置によれば、アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備えた光ディスクにデータを記録、あるいは再生する光ディスク装置の状態を検出する状態検出装置において、前記ヘッダー領域を検出するヘッダー検出手段と、検出したヘッダー領域に含まれるアドレス誤り検出領域の誤り検出符号の正誤を判定し、誤りの個数を１セクタ分保持する誤り検出結果保持手段と、前記誤り検出結果保持手段が保持する誤りの個数を所定値と比較する誤り個数比較手段と、前記誤り個数比較手段の出力に基づき、前記光ディスク装置の状態を上方あるいは下方に遷移させることで、光ディスク装置の状態を複数段階に判定する状態判定手段とを備えているので、光ディスク装置の動作状態をより細かく判定でき、その結果、精度の良い記録、再生の行なえる光ディスク装置を構成することができる。
【００６６】
本発明にかかる状態検出装置によれば、誤り検出結果保持手段が保持する誤りの個数が所定値以上である場合には前記光ディスク装置の状態を上方に遷移させ、一方、誤りの個数が所定値よりも少ない場合には前記光ディスク装置の状態を下方に遷移させるようにして装置の状態を判定しているので、設定値を光ディスク装置の特質によって変えることができ、当該装置に求められる記録再生の精度が簡単に得られる。
【００６７】
本発明にかかる状態検出装置によれば、状態判定手段を、誤り検出結果保持手段が保持する誤りの個数が所定値よりも少ない状態が所定セクタ以上連続すると前記光ディスク装置の状態を下方に遷移させるように構成したので、光ディスクの特性に応じた適切な光ディスク装置の記録再生が実現できる。
【００６８】
本発明にかかる状態検出装置によれば、ヘッダー検出手段を、アドレス情報に基づき生成された第１のヘッダー検出窓あるいは、１セクタに含まれる複数個のヘッダー領域の配置から得られるヘッダー位置検出信号に基づき生成された第２のヘッダー検出窓を用いてヘッダー領域を検出するようにしているので、光ディスク装置の状態に応じてより誤りの少ないヘッダー領域の検出を選択することができる。
【００６９】
本発明にかかる状態検出装置によれば、ヘッダー検出手段を、状態判定手段による光ディスク装置の状態が所定段階以上である場合には第１のヘッダー検出窓を用いてヘッダー領域を検出し、所定段階を下回る場合には第２のヘッダー検出窓を用いてヘッダー領域を検出するようにしているので、光ディスク装置の起動時など、安定してアドレス情報が再生できない場合においても誤りの少ないヘッダー領域の検出が行なえる。
【００７０】
本発明にかかる光ディスク装置によれば、アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備えた光ディスクに情報を記録、あるいは再生する光ディスク装置において、前記光ディスクにデータを記録、あるいは再生するための光ヘッドと、前記光ヘッドで再生したデータから前記ヘッダー領域を検出するヘッダー検出手段と、検出したヘッダー領域に含まれる誤り検出符号の正誤を判定し、誤りの個数を１セクタ分保持する誤り検出結果保持手段と、前記誤り検出結果保持手段が保持する誤りの個数を所定値と比較する誤り個数比較手段と、前記誤り個数比較手段の出力に基づき、前記光ディスク装置の状態を上方あるいは下方の段階に遷移させることで、光ディスク装置の状態を複数段階に判定する状態判定手段と、前記状態判定手段の判定結果に応じて、光ディスク装置の動作を制御する制御手段とを備えているので、光ディスク装置の状態に応じてより適切な動作制御が行なえる。
【００７１】
本発明にかかる光ディスク装置によれば、制御手段を、前記状態判定手段が光ディスク装置の状態を所定段階以上と判断している場合には前記光ディスクの記録、再生を開始し、所定段階を下まわると判断している場合には前記光ディスクの記録、再生を停止するように構成しているので、精度の高い記録再生が行なえ、特に記録において誤った重ね書きなどの娯動作を排除できる。
【００７２】
本発明にかかる光ディスク装置によれば、状態判定手段を、前記誤り検出結果保持手段が保持する誤りの個数が所定値よりも少ない状態が所定セクタ以上連続すると前記光ディスク装置の状態を下方に遷移させるように構成したので、光ディスクの特性に応じた適切な光ディスク装置の記録再生が実現できる。
【００７３】
本発明にかかる光ディスク装置によれば、ヘッダー検出手段が、前記アドレス情報に基づき生成された第１のヘッダー検出窓あるいは、１セクタに含まれる複数個のヘッダー領域の配置から得られるヘッダー位置検出信号に基づき生成された第２のヘッダー検出窓を用いてヘッダー領域を検出するようにしているので、光ディスク装置の状態に応じてより誤りの少ないヘッダー領域の検出を選択することができる。
【００７４】
本発明にかかる光ディスク装置によれば、ヘッダー検出手段を、前記状態判定手段による光ディスク装置の状態が所定段階以上である場合には第１のヘッダー検出窓を用いてヘッダー領域を検出し、所定段階を下回る場合には第２のヘッダー検出窓を用いてヘッダー領域を検出するようにしているので、光ディスク装置の起動時など、安定してアドレス情報が再生できない場合においても誤りの少ないヘッダー領域の検出が行なえる。。
【００７５】
本発明にかかる光ディスク装置によれば、１セクタ内に複数個のヘッダー領域を有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、前記光ディスクにデータを記録、あるいは再生するための集光スポットを形成する光ヘッドと、前記集光スポットからの反射光を受光し、トラッキング信号を生成するための光検出器と、前記光スポットが前記光ディスクのヘッダー領域を通過する際の前記光検出器の出力に基づきアドレス情報を生成するアドレス信号生成手段と、前記アドレス情報に基づき検出窓信号あるいはタイミング信号を生成する窓生成手段とを備えているので、光ディスク装置の起動時など、安定してヘッダー領域内のアドレス情報が再生できない場合においても、実用上十分な検出窓信号あるいはタイミング信号を生成することができる。
【００７６】
本発明にかかる光ディスク装置によれば、アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、前記光ディスクにデータを記録、あるいは再生するための集光スポットを形成する光ヘッドと、前記光ヘッドで再生したデータから前記ヘッダー領域を検出するヘッダー検出手段と、検出したヘッダー領域に含まれる誤り検出符号よりアドレス情報の誤りを検出し、アドレス情報が正しく読み取れている場合には、当該アドレス情報に基づき検出窓信号やタイミング信号を生成する窓生成手段とを備えているので、精度の高い検出窓信号やタイミング信号を生成することができる。
【００７７】
本発明にかかる光ディスク装置によれば、アドレス情報を保持するアドレス領域、該アドレス領域の誤りを検出するためのアドレス誤り検出符号を保持するアドレス誤り検出領域、前記アドレス領域及びアドレス誤り検出領域を含むヘッダー領域、該ヘッダー領域を１セクタ内に複数個有する情報記録部を備え、前記複数個のヘッダー領域の前半部分を記録トラックの中心線に対し内周側あるいは外周側の一方に略１／２トラックピッチずらして配置し、後半部分を記録トラックの中心線に対し外周側あるいは内周側の他方に略１／２トラックピッチずらして配置してなる光ディスクにデータを記録、あるいは再生する光ディスク装置において、前記光ディスクにデータを記録、あるいは再生するための集光スポットを形成する光ヘッドと、前記集光スポットからの反射光を受光し、トラッキング信号を生成するための光検出器と、前記光ヘッドで再生したデータから前記ヘッダー領域を検出するヘッダー検出手段と、検出したヘッダー領域に含まれるアドレス誤り検出領域の誤り検出符号の正誤を判定し、誤りの個数を１セクタ分保持する誤り検出結果保持手段と、前記誤り検出結果保持手段が保持する誤りの個数を所定値と比較する誤り個数比較手段と、前記誤り個数比較手段の出力に基づき、前記光ディスク装置の状態を上方あるいは下方の段階に遷移させることで、光ディスク装置の状態を複数段階に判定する状態判定手段と、前記状態判定手段の判定結果が所定段階以上である場合には、検出したヘッダー領域に含まれるアドレス情報に基づき検出窓信号やタイミング信号を生成し、前記状態判定手段の判定結果が所定段階を下まわる場合には、前記光スポットが前記光ディスクのヘッダー領域を通過する際の前記光検出器の出力に基づき求めたアドレス情報に基づき検出窓信号やタイミング信号を生成する窓生成手段とを備えているので、光ディスク装置の起動時など、安定してヘッダー領域内のアドレス情報が再生できない場合には、実用上十分な検出窓信号あるいはタイミング信号を生成することができ、一方、安定してヘッダー領域内のアドレス情報が再生できるようになった場合には、精度の高い検出窓信号やタイミング信号を生成することができ、装置の状態にかかわらずより適切な検出窓信号やタイミング信号を生成することができる。
【００７８】
本発明の光ディスク装置によれば、ヘッダー検出手段を、前記窓生成手段によって生成されたヘッダー検出窓を用いてヘッダー領域を検出しているので、装置の状態にかかわらずより適切な検出窓信号やタイミング信号を生成することができる。
【図面の簡単な説明】
【図１】  本発明の実施の形態１である光ディスク装置の全体構成を示すブロック図である。
【図２】  ＲＡＭヘッダー信号処理における装置の状態の遷移を説明する図である。
【図３】  本発明の実施の形態２である光ディスク装置の全体構成を示すブロック図である。
【図４】  状態に応じて検出窓を切り換える装置の一例を示すものである。
【図５】  外部より入力されるヘッダー位置検出信号の一例を示すものである。
【図６】  本発明の実施の形態３である光ディスク装置の全体構成を示すブロック図である。
【図７】  位置補正の動作タイミングチャートを示したものである。
【図８】  セクターアドレスの読みとり動作を示したものである。
【図９】  シングルスパイラル、ランド／グルーブ記録方式による光ディスクの構造を示す図である。
【図１０】  図９における光ディスクのトラック構成を示す図である。
【図１１】  図９における光ディスクの記録セクタ内の識別情報の配置及びアドレスを説明するための模式図である。
【図１２】  図９における光ディスクのヘッダー情報の記録フォーマットを示す模式図である。
【図１３】  従来の光ディスク装置のセクタアドレス読み取り部の構成を示すブロック図である。
【図１４】  従来の光ディスク装置のセクタアドレス読み取り部、特に、ＰＩＤ選択部の動作を説明するための図である。
【符号の説明】
１．光ピックアップ、２．ＡＳＰ（Analog Signal Processor）、３．ＡＬＰＣ（Auto Laser Power Control）、４．．ヘッダー検出器、５．誤り検出結果保持部、６．誤り個数比較器、７．状態カウンタ、８．再生オンオフ判定部、９．記録オンオフ判定部、１０．再生データの位置カウンタ、１１．窓生成器、１２．再生データ検出部、１３．再生データ処理部、１４．記録データ処理部、１５．バッファメモリ、１６．メモリ制御部、１７．アドレス検出部、１８．窓オンオフ制御部、１９．位置補正手段選択部、２０．第１の誤り検出結果保持部、２１．第２の誤り検出結果保持部、２２．誤り個数比較器、２３．状態遷移制御部、２３１．状態符号化器、２３２．状態カウンタ、２４．第１の位置検出部、２４１．位置符号化器、２４２．位置補正カウンタ、２４３．位置基準検出器、２５．第２の位置検出部、２６．位置補正手段選択部、２７．窓生成部、２７１．窓生成カウンタ、２７２．窓生成器、２８．ランドＰＩＤ検出部、２８１．ランドＰＩＤカウンタ制御部、２８２．ランドＰＩＤカウンタ、２９．グルーブＰＩＤ検出部、２９１．グルーブＰＩＤカウンタ制御部、２９２．グルーブＰＩＤカウンタ、３０．セクタアドレス出力部
【図１】
0003724168.tif 000002
【図２】
0003724168.tif 000003
【図３】
0003724168.tif 000004
【図４】
0003724168.tif 000005
【図５】
0003724168.tif 000006
【図６】
0003724168.tif 000007
【図７】
0003724168.tif 000008
【図８】
0003724168.tif 000009
【図９】
0003724168.tif 000010
【図１０】
0003724168.tif 000011
【図１１】
0003724168.tif 000012
【図１２】
0003724168.tif 000013
【図１３】
0003724168.tif 000014
【図１４】
0003724168.tif 000015